(57)【要約】【課題】バックプレーンが大型化およびコストアップすることなく、バックプレーンへの電源供給ができる。【解決手段】６Ｕボード１の背面にバックプレーン２を実装し、該バックプレーンの背面にはシュラウドによってリアＩ／Ｏボード３を接続可能にしたコンパクトＰＣＩ規格に準拠するコンピュータシステムにおいて、リアＩ／Ｏボードは、その背面に電源コネクタ３Ａを実装した構成とし、この電源コネクタと接続できる電源コネクタ４Ａをケーブル４Ｂで接続した外部電源ユニット４は、リアＩ／Ｏボードを介してバックプレーンに電源を供給する。  バックプレーンとリアＩ／Ｏボードとの電源供給のためのコネクタ接続は、ユーザ定義Ｉ／Ｏがアサインされ、かつバス接続されていないコネクタのうち、空いているスロットのコネクタを電源コネクタとしてアサインする。【選択図】図１
2008152413.tif 000002
【特許請求の範囲】
【請求項１】
６Ｕボードまたは３Ｕボードの背面にバックプレーンを実装し、該バックプレーンの背面にはシュラウドによってリアＩ／Ｏボードを接続可能にしたコンパクトＰＣＩ規格に準拠するコンピュータシステムにおいて、
前記リアＩ／Ｏボードは、その背面に電源コネクタを実装した構成とし、
前記電源コネクタと接続できる電源コネクタをケーブルで接続した外部電源ユニットは、前記リアＩ／Ｏボードを介して前記バックプレーンに電源を供給する構成としたことを特徴とするコンパクトＰＣＩのバックプレーン電源回路。
【請求項２】
前記バックプレーンとリアＩ／Ｏボードとの電源供給のためのコネクタ接続は、ユーザ定義Ｉ／Ｏがアサインされ、かつバス接続されていないコネクタのうち、空いているスロットのコネクタを電源コネクタとしてアサインすることを特徴とする請求項１に記載のコンパクトＰＣＩのバックプレーン電源回路。
【発明の詳細な説明】
【技術分野】
【０００１】
本発明は、コンパクトＰＣＩ規格に準拠するコンピュータシステムに係り、特にバックプレーンに電源を供給する電源回路に関する。
【背景技術】
【０００２】
コンパクトＰＣＩ規格は、ＰＣＩ産業用コンピュータ製造者グループ（ＰＩＣＭＧ：登録商標）が提案するものであり、頑強な機械的フォームファクタが要求される産業用／組み込み用コンピュータシステムの実現のため、周辺部材相互接続（ＰＣＩ：Ｐｅｒｉｐｈｅｒａｌ  Ｃｏｍｐｏｎｅｎｔ  Ｉｎｔｅｒｃｏｎｎｅｃｔ）バス・アーキテクチャとして、規格化した機械部品および高性能コネクタ技法の使用を提案している。このコンパクトＰＣＩ規格に準拠するコンピュータシステムも提案されている（例えば、特許文献１参照）。
【０００３】
このコンパクトＰＣＩ規格では、さまざまなバスおよびソフトウェアパラメータを規定するのに加えて、基板またはカード用の形状規格を定めており、３Ｕボード（１００ｍｍ×１６０ｍｍ）と６Ｕボード（２３３．３５ｍｍ×１６０ｍｍ）がある。また、シャシおよびバックプレーンによって形成された各スロットの最大厚さはまたはボードの中心と中心間の距離が２０．３２ｍｍと定められている。
【０００４】
図２は、コンパクトＰＣＩシステムの側面構成例を示し、６Ｕボードの場合である。６Ｕボード１には、シャシの背面側でバックプレーン２を接続可能に構成する。バックプレーン２は、バス回路をもち、プラグコネクタによって６Ｕボード１のリセプタクルコネクタとの結合と共に、シュラウドによってリアＩ／Ｏコード３との接続を可能にする。
【０００５】
図３にはバックプレーンの正面構成例を示し、図示の場合は５スロット構成され、コネクタＪ１とＪ２はコンパクトＰＣＩ信号がアサインされており、Ｊ３〜Ｊ５はユーザ定義Ｉ／Ｏがアサインされている。また、コネクタＪ１とＪ２はバス接続されているが、Ｊ３〜Ｊ５はユーザ定義Ｉ／Ｏであるためバス接続はされていない。
【０００６】
この構成において、電源モジュールをバックプレーン２に装着する場合、図４に示すように、バックプレーン２にはコンパクトＰＣＩ用スロットの横などに電源モジュール用のスロットを設け、コネクタ接続する構成としている。
【特許文献１】特開２００３−１５７１２６号公報
【発明の開示】
【発明が解決しようとする課題】
【０００７】
コンパクトＰＣＩ規格に準拠するコンピュータシステムにおいて、バックプレーンへ電源を供給する場合、図４に示すように、電源コネクタをバックプレーン背面に取り付け、この電源コネクタに電源モジュールを装着する構成としている。このため、バックプレーンにはコネクタＪ１〜Ｊ５と別途に電源モジュール用コネクタを設けるスペースを用意する必要があるし、電源モジュールを含めたバックプレーンの厚み寸法が大きくなってしまい、小型化の弊害となる。
【０００８】
また、コンパクトＰＣＩ規格のバックプレーンの板厚は３．２ｍｍの厚さをもつため、電源モジュール用コネクタにはピンの長い特殊なコネクタが必要となり、コストアップになる。
【０００９】
本発明の目的は、バックプレーンが大型化およびコストアップすることなく、バックプレーンへの電源供給ができるコンパクトＰＣＩのバックプレーン電源回路を提供することにある。
【課題を解決するための手段】
【００１０】
本発明は、前記の課題を解決するため、バックプレーンにコネクタ結合するリアＩ／Ｏボードのユーザ定義Ｉ／Ｏコネクタを介してバックプレーンの電源を供給する構成とするもので、以下の構成を特徴とする。
【００１１】
（１）６Ｕボードまたは３Ｕボードの背面にバックプレーンを実装し、該バックプレーンの背面にはシュラウドによってリアＩ／Ｏボードを接続可能にしたコンパクトＰＣＩ規格に準拠するコンピュータシステムにおいて、
前記リアＩ／Ｏボードは、その背面に電源コネクタを実装した構成とし、
前記電源コネクタと接続できる電源コネクタをケーブルで接続した外部電源ユニットは、前記リアＩ／Ｏボードを介して前記バックプレーンに電源を供給する構成としたことを特徴とする。
【００１２】
（２）前記バックプレーンとリアＩ／Ｏボードとの電源供給のためのコネクタ接続は、ユーザ定義Ｉ／Ｏがアサインされ、かつバス接続されていないコネクタのうち、空いているスロットのコネクタを電源コネクタとしてアサインすることを特徴とする。
【発明の効果】
【００１３】
以上のとおり、本発明によれば、バックプレーンにコネクタ結合するリアＩ／Ｏボードのユーザ定義Ｉ／Ｏコネクタを介してバックプレーンの電源を供給する構成としたため、バックプレーンが大型化およびコストアップすることなく、バックプレーンへの電源供給ができる。具体的には、
（１）バックプレーンには電源コネクタを実装しないため、バックプレーンのスペースおよび厚みについて小型化が可能となる。
【００１４】
（２）リアＩ／Ｏボードの板厚は、通常１．６ｍｍ程度であるため、電源コネクタを実装する際に、ピンの長さを考慮することなく、一般の電源コネクタを使用することができる。
【００１５】
（３）バックプレーンが既設のリアＩ／Ｏボードをもつ構成の場合、そのリアＩ／Ｏボードに電源コネクタを実装するのみで済み、新たなリアＩ／Ｏボードに取り替える必要はない。
【発明を実施するための最良の形態】
【００１６】
図１は、本発明の実施形態を示す要部構成図である。バックプレーン２とリアＩ／Ｏボード３はシュラウドによって接続可能な構造にされる。この構造を利用し、本実施形態では、バックプレーンに電源を供給する構造として、リアＩ／Ｏボード３の背面に電源コネクタ３Ａを実装し、外部電源ユニット４は電源コネクタ４Ａをケーブル４Ｂによって電源コネクタ３Ａと接続した構造とする。
【００１７】
バックプレーン２のコネクタＪ３〜Ｊ５は、前記のように、ユーザ定義Ｉ／Ｏがアサインされており、さらにコネクタＪ３〜Ｊ５はユーザ定義Ｉ／Ｏであるためバス接続はされていない。このことを利用し、本実施形態では、コネクタＪ３〜Ｊ５のうち、空いているスロットのコネクタを電源コネクタとしてアサインする。
【００１８】
以上の構造により、本実施形態では、バックプレーン２とリアＩ／Ｏボード３をシュラウドで結合した状態で、電源コネクタ３Ａと４Ａの結合により、外部電源ユニット４からリアＩ／Ｏボード３経由でバックプレーン２に電源を供給することができる。
【００１９】
しかも、バックプレーン２には電源コネクタを実装しないため、バックプレーンのスペースおよび厚みについて小型化が可能となる。
【００２０】
また、リアＩ／Ｏボード３の板厚は、通常１．６ｍｍ程度であるため、電源コネクタ３Ａを実装する際に、ピンの長さを考慮することなく、一般の電源コネクタを使用することができる。
【００２１】
また、バックプレーン２が既設のリアＩ／Ｏボードをもつ構成の場合、そのリアＩ／Ｏボードに電源コネクタを実装するのみで済み、新たなリアＩ／Ｏボードに取り替える必要はない。
【図面の簡単な説明】
【００２２】
【図１】本発明の実施形態を示す要部構成図。
【図２】コンパクトＰＣＩシステムの側面構成例を示す図。
【図３】バックプレーンの正面構成例を示す図。
【図４】電源モジュール用スロットを設けたバックプレーンの正面図。
【符号の説明】
【００２３】
１  ６Ｕボード
２  バックプレーン
３  リアＩ／Ｏボード
４  外部電源ユニット
【図１】
2008152413.tif 000003
【図２】
2008152413.tif 000004
【図３】
2008152413.tif 000005
【図４】
2008152413.tif 000006